(57)【要約】【課題】組付の容易性および利便性を向上させることができる組付容易な昇降テーブルの脚部を提供する。【解決手段】組付容易な昇降テーブルの脚部（１）であって、横方向フレーム（１０）と支脚（２０）と側翼（３０）と連結機構（４０）とを備え、横方向フレーム（１０）は、クロスメンバ（１１）を備え、支脚（２０）の一端がクロスメンバ（１１）にピボット接続され、側翼（３０）は、板部（３１）と、当該板部（３１）に接続された挿入ブロック（３２）とを備え、挿入ブロック（３２）は、それぞれクロスメンバ（１１）の端面に対応して配置され、連結機構（４０）は、支脚（２０）と側翼（３０）とを連結し、支脚（２０）がクロスメンバ（１１）に対して繰り出される時に、連結機構（４０）によって挿入ブロック（３２）が同時に連動されてクロスメンバ（１１）の方向へ締める位置決めを行うようになっている。【選択図】図５
2019076685.tif 000002
【特許請求の範囲】
【請求項１】
昇降テーブルの脚部（１）であって、
複数のクロスメンバ（１１、１２）を備えた横方向フレーム（１０）と、
一端が前記各クロスメンバ（１１、１２）にピボット接続される支脚（２０）と、
板部（３１）と、当該板部（３１）に接続された複数の挿入ブロック（３２）とを備えた側翼（３０）と、
前記支脚（２０）と前記側翼（３０）とを連結する連結機構（４０）とを備え、
前記各挿入ブロック（３２）が、それぞれ、前記各クロスメンバ（１１、１２）の端面に対応して配置され、
前記支脚（２０）が前記各クロスメンバ（１１、１２）に対して繰り出される時に、前記連結機構（４０）によって、前記各挿入ブロック（３２）が同時に連動されて前記各クロスメンバ（１１、１２）の方向へ締める位置決めを行うようになっていることを特徴とする昇降テーブルの脚部。
【請求項２】
請求項１に記載の昇降テーブルの脚部（１）において、
前記支脚（２０）は、伸縮ロッド（２１）と、当該伸縮ロッド（２１）に接続されたベース板（２２）とを備え、前記ベース板（２２）が前記各クロスメンバ（１１、１２）にピボット接続され、前記各挿入ブロック（３２）の間にポール（３３）が挿設され、前記連結機構（４０）は複数の連結部材（４１、４２）を備え、各々の前記連結部材（４１）は、両端がそれぞれ前記ベース板（２２）および前記ポール（３３）に接続されるようになっていることを特徴とする昇降テーブルの脚部。
【請求項３】
請求項２に記載の昇降テーブルの脚部（１）において、
各々の前記連結部材（４１）は、先端部に貫通孔（４１５）が設けられ、末端部にフック部（４１６）が設けられ、かつ、前記連結部材（４１）は、前記貫通孔（４１５）にネジを挿設させることによって前記ベース板（２２）に接続されるとともに、前記フック部（４１６）を介して前記ポール（３３）に接続されるようになっていることを特徴とする昇降テーブルの脚部。
【請求項４】
請求項３に記載の昇降テーブルの脚部（１）において、
各々の前記連結部材（４１）は緩衝部を有し、当該緩衝部は少なくとも１つの湾曲部（４１１）を備えていることを特徴とする昇降テーブルの脚部。
【請求項５】
請求項２に記載の昇降テーブルの脚部（１）において、
各々の前記クロスメンバ（１１）に長方形穴（１１２）が設けられ、前記連結部材（４１）は、前記長方形穴（１１２）を介して前記クロスメンバ（１１）の内部に挿入されるようになっていることを特徴とする昇降テーブルの脚部。
【請求項６】
請求項２に記載の昇降テーブルの脚部（１）において、
各々の前記クロスメンバ（１１）に円弧状溝（１１１）が設けられ、前記ベース板（２２）にボルト（２２２）が接続され、前記ボルト（２２２）が前記円弧状溝（１１１）に嵌入することにより、前記支脚（２０）は、前記各クロスメンバ（１１、１２）に対してピボット回転可能になっていることを特徴とする昇降テーブルの脚部。
【請求項７】
請求項２に記載の昇降テーブルの脚部（１）において、
各々の前記クロスメンバ（１１）にガイドスロット（１１３）が設けられ、前記ポール（３３）は、前記各ガイドスロット（１１３）に沿って前記各クロスメンバ（１１、１２）に嵌入し係合されるようになっていることを特徴とする昇降テーブルの脚部。
【請求項８】
請求項１に記載の昇降テーブルの脚部（１Ａ）において、
前記支脚（２０）は、伸縮ロッド（２１）と、前記伸縮ロッド（２１）に接続されたベース板（２２）とを備え、前記連結機構（４０Ａ）は、複数のカム（４１Ａ、４２Ａ）を備え、前記各カム（４１Ａ、４２Ａ）は、それぞれ前記ベース板（２２）に接続され、前記支脚（２０）は、前記各カム（４１Ａ、４２Ａ）を介して前記各クロスメンバ（１１、１２）にピボット接続され、前記各カム（４１Ａ、４２Ａ）は、同時に前記各挿入ブロック（３２）にピボット接続されるようになっていることを特徴とする昇降テーブルの脚部。
【請求項９】
請求項８に記載の昇降テーブルの脚部（１Ａ）において、
各々の前記クロスメンバ（１１）に斜め溝（１１１Ａ）が設けられ、かつ、当該斜め溝（１１１Ａ）の端部にピボット回転孔（１１２Ａ）が形成され、前記各カム（４１Ａ、４２Ａ）は、前記各斜め溝（１１１Ａ）に嵌入して前記各ピボット回転孔（１１２Ａ）の中に位置決めされるようになっていることを特徴とする昇降テーブルの脚部。
【請求項１０】
請求項９に記載の昇降テーブルの脚部（１Ａ）において、
各々の前記挿入ブロック（３２）にスロート（３２１Ａ）が設けられ、前記各スロート（３２１Ａ）は、それぞれ前記各ピボット回転孔（１１２Ａ）に対応して配置され、前記各カム（４１Ａ、４２Ａ）は、同時に前記各スロート（３２１Ａ）の中に位置決めされるようになっていることを特徴とする昇降テーブルの脚部。
【請求項１１】
請求項８に記載の昇降テーブルの脚部（１Ａ）において、
前記各カム（４１Ａ、４２Ａ）は、いずれも水滴状となっていることを特徴とする昇降テーブルの脚部。
【請求項１２】
請求項１に記載の昇降テーブルの脚部（１Ｂ）において、
前記支脚（２０）は、伸縮ロッド（２１）と、当該伸縮ロッド（２１）に接続されたベース板（２２）とを備え、前記ベース板（２２）は、前記各クロスメンバ（１１、１２）にピボット接続され、前記連結機構（４０Ｂ）は、複数の軌跡溝（４１Ｂ、４２Ｂ）を備え、前記各軌跡溝（４１Ｂ、４２Ｂ）が前記ベース板（２２）に設けられ、前記各挿入ブロック（３２）の対応位置にそれぞれボス（３２１Ｂ）が接続され、前記各軌跡溝（４１Ｂ、４２Ｂ）は、前記各ボス（３２１Ｂ）にスリーブ接続されるようになっていることを特徴とする昇降テーブルの脚部。
【請求項１３】
請求項１２に記載の昇降テーブルの脚部（１Ｂ）において、
各々の前記クロスメンバ（１１）にガイド溝（１１２Ｂ）が設けられ、前記各ボス（３２１Ｂ）は、それぞれ前記各ガイド溝（１１２Ｂ）に嵌入し係合されるようになっていることを特徴とする昇降テーブルの脚部。
【発明の詳細な説明】
【技術分野】
【０００１】
本発明は、昇降テーブル技術分野に関し、特に、組付容易な昇降テーブルの脚部に関する。
【背景技術】
【０００２】
様々な体型、身長および使用者の習慣を満たすために、従来使い慣れた固定テーブルは、高さの調整が可能な昇降テーブルに次第に取り替えられるようになってきている。したがって、高さ調整機能を有する昇降テーブルは、明らかに今時の設計の主流およびトレントの１つになっている。高さの調整が行われると、異なる身長および体型の使用者に快適に使用させる目的を達成することができる。
【０００３】
従来の昇降テーブルにおいて、一部の昇降テーブルは、空気圧シリンダを支持脚とするものであり、もう一部の昇降テーブルは、電動シリンダを支持脚とするものである。
【発明の概要】
【発明が解決しようとする課題】
【０００４】
しかしながら、上述した空気圧シリンダを支持脚とする昇降テーブルは、空気圧シリンダの昇降を利用してテーブルの上面の高さの調整を実現するようになっているため、操作する際に、上がる時に空気圧シリンダの上昇速度が速すぎ、下がる時に使用者によるテーブルの上面を介して空気圧シリンダを押さえ込む操作が必要である。そのため、テーブルの上面の高さを調整する際に、使用者の加えた力によって、高さに大きなバラツキが発生するから、使用者の要求を満たすことができず、繰り返して昇降作業を行わないとテーブルの高さを所望の高さまで調整することができない場合が多いので、効率が低い。
【０００５】
また、電動シリンダを支持脚とする昇降テーブルの場合、上述した高さの調整が難しいといった問題点を解消することができるが、組付の際に大量のネジを使って締結する組付を行う必要があるため、組付作業が煩雑であり、作業員の数および作業時間が増えてコストが高くなるだけではなく、組付技術が上達していない作業員が作業する場合、組付け誤りや組付け偏差などの不具合が発生することもある。
【０００６】
これに対して、本発明は、連結機構によって側翼と支脚とを連結し、支脚が繰り出される際に側翼が同時に連動されて移動し位置決めされることにより、組付の容易性および利便性を向上させることができる、組付容易な昇降テーブルの脚部を提供することを目的としている。
【課題を解決するための手段】
【０００７】
上記目的を達成するために、本発明は、組付容易な昇降テーブルの脚部を提供する。当該組付容易な昇降テーブルの脚部は、横方向フレームと、支脚と、側翼と、連結機構とを備え、前記横方向フレームは、複数のクロスメンバを備え、前記支脚の一端が前記各クロスメンバにピボット接続され、前記側翼は、板部と、当該板部に接続された複数の挿入ブロックとを備え、前記各挿入ブロックは、それぞれ、前記各クロスメンバの端面に対応して配置され、前記連結機構は、前記支脚と前記側翼とを連結し、前記支脚が前記各クロスメンバに対して繰り出される時に、前記連結機構によって、前記各挿入ブロックが同時に連動されて前記各クロスメンバの方向へ締める位置決めを行うようになっている。
【０００８】
また、本発明は、緩衝部の弾性変形可能な特性により、第１連結部材および第２連結部材がベース板の各側板に締結される効果を有している。また、側翼と支脚とが連動して位置決めされるようになっているため、組付プロセスが大幅に簡潔化されるだけではなく、技術が上達していない作業員でも良好な組付効果を得ることができる。その結果、人件費を節約し、作業時間を短縮することができる。
【図面の簡単な説明】
【０００９】
【図１】図１は、本発明の第１の実施の形態の昇降テーブルの脚部を示す分解斜視図である。
【図２】図２は、本発明の第１の実施の形態の昇降テーブルの脚部の組付状態を示す斜視図である。
【図３】図３は、本発明の第１の実施の形態の昇降テーブルの脚部の組付状態を示す正面図である。
【図４】図４は、本発明の第１の実施の形態の昇降テーブルの脚部の組付状態を示す断面図である。
【図５】図５は、本発明の第１の実施の形態の昇降テーブルの脚部の使用状態を示す斜視図である。
【図６】図６は、本発明の第１の実施の形態の昇降テーブルの脚部の使用状態を示す正面図である。
【図７】図７は、本発明の第１の実施の形態の昇降テーブルの脚部の使用状態を示す断面図である。
【図８】図８は、本発明の第１の実施の形態の昇降テーブルの脚部の使用状態を示す斜視図である。
【図９】図９は、本発明の第１の実施の形態の昇降テーブルの脚部の使用状態を示す正面図である。
【図１０】図１０は、本発明の第１の実施の形態の昇降テーブルの脚部の使用状態を示す断面図である。
【図１１】図１１は、本発明の第２の実施の形態の昇降テーブルの脚部を示す分解斜視図である。
【図１２】図１２は、本発明の第２の実施の形態の昇降テーブルの脚部の組付状態を示す斜視図である。
【図１３】図１３は、本発明の第２の実施の形態の昇降テーブルの脚部の組付状態を示す正面図である。
【図１４】図１４は、本発明の第２の実施の形態の昇降テーブルの脚部の使用状態を示す斜視図である。
【図１５】図１５は、本発明の第２の実施の形態の昇降テーブルの脚部の使用状態を示す正面図である。
【図１６】図１６は、本発明の第２の実施の形態の昇降テーブルの脚部の使用状態を示す斜視図である。
【図１７】図１７は、本発明の第２の実施の形態の昇降テーブルの脚部の使用状態を示す正面図である。
【図１８】図１８は、本発明の第３の実施の形態の昇降テーブルの脚部を示す分解斜視図である。
【図１９】図１９は、本発明の第３の実施の形態の昇降テーブルの脚部の組付状態を示す斜視図である。
【図２０】図２０は、本発明の第３の実施の形態の昇降テーブルの脚部の組付状態を示す正面図である。
【図２１】図２１は、本発明の第３の実施の形態の昇降テーブルの脚部の使用状態を示す斜視図である。
【図２２】図２２は、本発明の第３の実施の形態の昇降テーブルの脚部の使用状態を示す正面図である。
【図２３】図２３は、本発明の第３の実施の形態の昇降テーブルの脚部の使用状態を示す斜視図である。
【図２４】図２３は、本発明の第３の実施の形態の昇降テーブルの脚部の使用状態を示す正面図である。
【図２５】図２５は、本発明の昇降テーブルの脚部が適用された昇降テーブルを示す正面図である。
【発明を実施するための形態】
【００１０】
次に、図面を参照しながら、本発明の技術内容を詳細に説明する。なお、図面は、説明参照のためのものであり、本発明を限定するものではない。
【００１１】
＜第１実施の形態＞
本実施の形態において、組付容易な昇降テーブルの脚部１について説明する。
【００１２】
図１〜図４に示すように、昇降テーブルの脚部１は、主に、横方向フレーム１０と、支脚２０と、側翼３０と、連結機構４０とを備えている。
【００１３】
横方向フレーム１０は、第１クロスメンバ１１と、第２クロスメンバ１２と、複数のショートロッド１３とを備えている。第１クロスメンバ１１と第２クロスメンバ１２とは、間隔を開けて並列に配置され、各ショートロッド１３を介して連結されて横方向フレーム１０を構成している。第１クロスメンバ１１には、円弧状溝１１１と長方形穴１１２とが設けられている。また、長方形穴１１２の外側の第１クロスメンバ１１には、ガイドスロット１１３が設けられている。同様に、第２クロスメンバ１２は、第１クロスメンバ１１と対応した側面にも、上記円弧状溝と、長方形穴と、ガイドスロット（不図示）とが設けられ、第１クロスメンバ１１の全ての特徴を有している。
【００１４】
支脚２０の一端が横方向フレーム１０にピボット接続されている。当該支脚２０は、伸縮ロッド２１と、伸縮ロッド２１の端面に接続されたベース板２２とを備えている。本実施の形態におけるベース板２２は、略Ｕ字状になっているが、当該形状に限らない。ベース板２２の２つの対向する辺には、それぞれネジ穴２２１が設けられ、さらに、ベース板２２の２つの対向する辺の外側面には、それぞれボルト２２２が接続されている。各ボルト２２２が円弧状溝１１１に嵌入することにより、支脚２０は、第１クロスメンバ１１および第２クロスメンバ１２に対してピボット回転可能になっている。
【００１５】
側翼３０は、板部３１と、板部３１の中間部に接続された２つの挿入ブロック３２とを備えている。本実施の形態における板部３１は、細長い折板であり、２つの挿入ブロック３２の間に、ポール３３が挿設されている。
【００１６】
本実施の形態における連結機構４０は、第１連結部材４１と、第２連結部材４２とを備えている。第１連結部材４１は、先端部に貫通孔４１５が設けられ、末端部にフック部４１６が設けられている。第１連結部材４１は、ネジを貫通孔４１５から挿入してベース板２２のネジ穴２２１にねじ込むことによってベース板２２に結合され、同時に、フック部４１６を介してポール３３に係止されるようになっている。
【００１７】
さらに、第１連結部材４１は緩衝部を有しており、当該緩衝部は、組み付ける時の応力変形を低減させるためのものであり、少なくとも１つの湾曲部を備えている。本実施の形態における緩衝部は、主に、第１湾曲部４１１と、第１湾曲部４１１から湾曲して形成した第２湾曲部４１２と、第２湾曲部４１２から湾曲して形成した第３湾曲部４１３と、第３湾曲部４１３から湾曲して形成した第４湾曲部４１４とからなるものである。なお、貫通孔４１５が第１湾曲部４１１上に設けられ、フック部４１６が第４湾曲部４１４に設けられており、第２湾曲部４１２が略Ｕ字状になっている。同様に、第２連結部材４２も、上述した第１連結部材４１の全ての技術的特徴を有している。
【００１８】
組み付ける時に、ネジを各貫通孔４１５に挿入してからベース板２２の各ネジ穴２２１にねじ込むことにより、第１連結部材４１および第２連結部材４２がベース板２２に接続される。そして、各ボルト２２２を円弧状溝１１１に嵌入することによって、連結機構４０と、支脚２０と、横方向フレーム１０との結合が実現される。さらに、第１連結部材４１および第２連結部材４２の各湾曲部４１４を利用して長方形穴１１２から第１クロスメンバ１１および第２クロスメンバ１２の内部に入ることにより、各フック部４１６を第１クロスメンバ１１および第２クロスメンバ１２の内部に位置させる。
【００１９】
続いて、第１連結部材４１および第２連結部材４２の各フック部４１６をポール３３に掛ける。側翼３０の各挿入ブロック３２が第１クロスメンバ１１および第２クロスメンバ１２の端面に挿入される際に、ポール３３は、ガイドスロット１１３に沿って第１クロスメンバ１１および第２クロスメンバ１２に嵌入し係合されて、側翼３０と、横方向フレーム１０と、連結機構４０との位置決めが実現されるようになっている。
【００２０】
図５〜図１０に示すように、操作する時に、各ボルト２２２を回転中心として、支脚２０を第１クロスメンバ１１および第２クロスメンバ１２に対して横方向フレーム１０から離れる方向へ下に繰り出すと、第１連結部材４１および第２連結部材４２は、各フック部４１６によって、側翼３０の各挿入ブロック３２が第１クロスメンバ１１および第２クロスメンバ１２の方向に締め寄せられるため、横方向フレーム１０と、支脚２０と、側翼３０との高速位置決めが実現されるようになっている。なお、緩衝部の弾性変形可能な特性により、第１連結部材４１および第２連結部材４２がベース板２２の各側板に締結されるようになっている。
【００２１】
＜第２実施の形態＞
図１１〜図１７に示すように、本発明の組付容易な昇降テーブルの脚部は、上述した第１の実施の形態の他に、本実施の形態の昇降テーブルの脚部１Ａとすることもできる。当該昇降テーブルの脚部１Ａは、主に、横方向フレーム１０と、支脚２０と、側翼３０と、連結機構４０Ａとを備えている。
【００２２】
横方向フレーム１０は、第１クロスメンバ１１と、第２クロスメンバ１２と、複数のショートロッド１３とを備えている。第１クロスメンバ１１と第２クロスメンバ１２とは、間隔を開けて並列に配置され、各ショートロッド１３を介して連結されて横方向フレーム１０を構成している。第１クロスメンバ１１の内側面には、斜め溝１１１Ａが設けられ、当該斜め溝１１１Ａの端部にピボット回転孔１１２Ａが形成されている。同様に、第２クロスメンバ１２は、第１クロスメンバ１１と対応した側面にも、上記斜め溝とピボット回転孔（不図示）とが設けられ、第１クロスメンバ１１の全ての技術的特徴を有している。
【００２３】
本実施の形態において、支脚２０の一端が第１クロスメンバ１１および第２クロスメンバ１２にピボット接続され、支脚２０は、伸縮ロッド２１と、当該伸縮ロッド２１の端面に接続されたベース板２２とを備えている。なお、本実施の形態における支脚２０は、ベース板２２に固定された連結機構４０Ａを介して、第１クロスメンバ１１および第２クロスメンバ１２にピボット接続されている。
【００２４】
側翼３０は、板部３１と、当該板部３１の中間部に接続された２つの挿入ブロック３２とを備えており、各挿入ブロック３２の互いに対応する部位にスロート３２１Ａが設けられている。
【００２５】
本実施の形態における連結機構４０Ａは、第１カム４１Ａと、第２カム４２Ａとを備えており、第１カム４１Ａおよび第２カム４２Ａは、略水滴状になっており、それぞれ、ベース板２２の２つの対向する辺の外側面に接続されている。なお、本実施の形態の第１カム４１Ａおよび第２カム４２Ａは、第１クロスメンバ１１および第２クロスメンバ１２とピボット接続する役割、および側翼３０の各挿入ブロック３２と接続する役割との二重の役割を同時に果たしている。
【００２６】
組み付ける時に、側翼３０の各挿入ブロック３２を第１クロスメンバ１１および第２クロスメンバ１２の端面に挿入して接続させるとともに、各スロート３２１Ａと各ピボット回転孔１１２Ａとを位置対応させ、そして、第１カム４１Ａおよび第２カム４２Ａを各斜め溝１１１Ａに嵌入して、ピボット回転孔１１２Ａの中に位置決めさせる。
【００２７】
操作する時に、第１カム４１Ａおよび第２カム４２Ａを回転中心とし、支脚２０を第１クロスメンバ１１および第２クロスメンバ１２に対して、横方向フレーム１０から離れる方向へ下に繰り出すと、第１カム４１Ａおよび第２カム４２Ａは、それぞれ、各ピボット回転孔１１２Ａおよび各スロート３２１Ａの中に引っ掛けられ、第１カム４１Ａおよび第２カム４２Ａの水滴状形状によって、側翼３０の各挿入ブロック３２が第１クロスメンバ１１および第２クロスメンバ１２の方向に寄せ締められるため、横方向フレーム１０と、支脚２０と、側翼３０との高速位置決めが実現される。
【００２８】
＜第３実施の形態＞
図１８〜図２４に示すように、本発明の組付容易な昇降テーブルの脚部は、さらに、本実施の形態の昇降テーブルの脚部１Ｂとすることができる。当該昇降テーブルの脚部１Ｂは、主に、横方向フレーム１０と、支脚２０と、側翼３０と、連結機構４０Ｂとを備えている。
【００２９】
横方向フレーム１０は、第１クロスメンバ１１と、第２クロスメンバ１２と、複数のショートロッド１３とを備えており、第１クロスメンバ１１と第２クロスメンバ１２とは、間隔を開けて並列に配置され、各ショートロッド１３を介して連結されて横方向フレーム１０を構成している。第１クロスメンバ１１には、ネジ穴１１１Ｂとガイド溝１１２Ｂとが設けられている。同様に、第２クロスメンバ１２は、第１クロスメンバ１１と対応して側面にも、上記ネジ穴とガイド溝（不図示）とが設けられ、第１クロスメンバ１１の全ての技術的特徴を有している。
【００３０】
支脚２０の一端は、第１クロスメンバ１１および第２クロスメンバ１２にピボット接続されている。当該支脚２０は、伸縮ロッド２１と、当該伸縮ロッド２１の端面に接続されたベース板２２とを備えている。ベース板２２の両側には、それぞれ、互いに対応する貫通孔２２１Ｂが設けられている。ベース板２２は、貫通孔２２１Ｂにそれぞれ挿入されるボルト２２２によって、支脚２０が第１クロスメンバ１１および第２クロスメンバ１２にピボット接続されるようになっている。
【００３１】
側翼３０は、板部３１と、当該板部３１の中間部に接続された２つの挿入ブロック３２とを備えている。各挿入ブロック３２の互いに対応する位置に、それぞれボス３２１Ｂが接続されている。
【００３２】
本実施の形態における連結機構４０Ｂは、第１軌跡溝４１Ｂと第２軌跡溝４２Ｂとを備えており、第１軌跡溝４１Ｂおよび第２軌跡溝４２Ｂは、各貫通孔２２１Ｂから離れたベース板２２の両側に設けられている。
【００３３】
組み付ける時に、ボルト２２２をベース板２２の貫通孔２２１Ｂに挿入してからネジ穴１１１Ｂにねじ込み、そして、側翼３０の各挿入ブロック３２を第１クロスメンバ１１および第２クロスメンバ１２の端面に挿入し接続させるとともに、各ボス３２１Ｂをそれぞれガイド溝１１２Ｂに嵌入し係合させる。
【００３４】
操作する時に、各ボルト２２２を回転中心とし、支脚２０を第１クロスメンバ１１および第２クロスメンバ１２に対して、横方向フレーム１０から離れる方向へ下に繰り出し、そして、第１軌跡溝４１Ｂおよび第２軌跡溝４２Ｂを各ボス３２１Ｂに対してスリーブ接続させることによって、側翼３０の各挿入ブロック３２が第１クロスメンバ１１および第２クロスメンバ１２の方向に寄せ締められるため、横方向フレーム１０と、支脚２０と、側翼３０との高速位置決めが実現される。
【００３５】
図２５に示すように、本発明の組付容易な昇降テーブルの脚部、例えば、昇降テーブルの脚部１を２つテーブル板８の下方に組み付けて、電動昇降テーブルを構成することができる。
【００３６】
したがって、本発明の組付容易な昇降テーブルの脚部は、所望の使用目的を達成し、従来技術に存在する問題点を解消することができる。
【符号の説明】
【００３７】
１、１Ａ、１Ｂ    昇降テーブルの脚部
１０    横方向フレーム
１１    第１クロスメンバ
１１１    円弧状溝
１１２    長方形穴
１１３    ガイドスロット
１２    第２クロスメンバ
１３    ショートロッド
１１１Ａ    斜め溝
１１２Ａ    ピボット回転孔
１１１Ｂ    ネジ穴
１１２Ｂ    ガイド溝
２０    支脚
２１    伸縮ロッド
２２    ベース板
２２１    ネジ穴
２２２    ボルト
２２１Ｂ    貫通孔
３０    側翼
３１    板部
３２    挿入ブロック
３３    ロッド
３２１Ａ    スロート
３２１Ｂ    ボス
４０、４０Ａ、４０Ｂ    連結機構
４１    第１連結部材
４１１    第１湾曲部
４１２    第２湾曲部
４１３    第３湾曲部
４１４    第４湾曲部
４１５    貫通孔
４１６    フック部
４１Ａ    第１カム
４１Ｂ    第１軌跡溝
４２      第２連結部材
４２Ａ    第２カム
４２Ｂ    第２軌跡溝
８    テーブル板
【図１】
2019076685.tif 000003
【図２】
2019076685.tif 000004
【図３】
2019076685.tif 000005
【図４】
2019076685.tif 000006
【図５】
2019076685.tif 000007
【図６】
2019076685.tif 000008
【図７】
2019076685.tif 000009
【図８】
2019076685.tif 000010
【図９】
2019076685.tif 000011
【図１０】
2019076685.tif 000012
【図１１】
2019076685.tif 000013
【図１２】
2019076685.tif 000014
【図１３】
2019076685.tif 000015
【図１４】
2019076685.tif 000016
【図１５】
2019076685.tif 000017
【図１６】
2019076685.tif 000018
【図１７】
2019076685.tif 000019
【図１８】
2019076685.tif 000020
【図１９】
2019076685.tif 000021
【図２０】
2019076685.tif 000022
【図２１】
2019076685.tif 000023
【図２２】
2019076685.tif 000024
【図２３】
2019076685.tif 000025
【図２４】
2019076685.tif 000026
【図２５】
2019076685.tif 000027
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
昇降テーブルの脚部であって、
複数のクロスメンバを備えた横方向フレームと、
一端が前記各クロスメンバにピボット接続される支脚と、
板部と、当該板部に接続された複数の挿入ブロックとを備えた側翼と、
前記支脚と前記側翼とを連結する連結機構とを備え、
前記各挿入ブロックが、それぞれ、前記各クロスメンバの端面に対応して配置され、
前記支脚が前記各クロスメンバに対して繰り出される時に、前記連結機構によって、前記各挿入ブロックが同時に連動されて前記各クロスメンバの方向へ締める位置決めを行うようになっていることを特徴とする昇降テーブルの脚部。
【請求項２】
請求項１に記載の昇降テーブルの脚部において、
前記支脚は、伸縮ロッドと、当該伸縮ロッドに接続されたベース板とを備え、前記ベース板が前記各クロスメンバにピボット接続され、前記各挿入ブロックの間にポールが挿設され、前記連結機構は複数の連結部材を備え、各々の前記連結部材は、両端がそれぞれ前記ベース板および前記ポールに接続されるようになっていることを特徴とする昇降テーブルの脚部。
【請求項３】
請求項２に記載の昇降テーブルの脚部において、
各々の前記連結部材は、先端部に貫通孔が設けられ、末端部にフック部が設けられ、かつ、前記連結部材は、前記貫通孔にネジを挿設させることによって前記ベース板に接続されるとともに、前記フック部を介して前記ポールに接続されるようになっていることを特徴とする昇降テーブルの脚部。
【請求項４】
請求項３に記載の昇降テーブルの脚部において、
各々の前記連結部材は緩衝部を有し、当該緩衝部は少なくとも１つの湾曲部を備えていることを特徴とする昇降テーブルの脚部。
【請求項５】
請求項２に記載の昇降テーブルの脚部において、
各々の前記クロスメンバに長方形穴が設けられ、前記連結部材は、前記長方形穴を介して前記クロスメンバの内部に挿入されるようになっていることを特徴とする昇降テーブルの脚部。
【請求項６】
請求項２に記載の昇降テーブルの脚部において、
各々の前記クロスメンバに円弧状溝が設けられ、前記ベース板にボルトが接続され、前記ボルトが前記円弧状溝に嵌入することにより、前記支脚は、前記各クロスメンバに対してピボット回転可能になっていることを特徴とする昇降テーブルの脚部。
【請求項７】
請求項２に記載の昇降テーブルの脚部において、
各々の前記クロスメンバにガイドスロットが設けられ、前記ポールは、前記各ガイドスロットに沿って前記各クロスメンバに嵌入し係合されるようになっていることを特徴とする昇降テーブルの脚部。
【請求項８】
請求項１に記載の昇降テーブルの脚部において、
前記支脚は、伸縮ロッドと、前記伸縮ロッドに接続されたベース板とを備え、前記連結機構は、複数のカムを備え、前記各カムは、それぞれ前記ベース板に接続され、前記支脚は、前記各カムを介して前記各クロスメンバにピボット接続され、前記各カムは、同時に前記各挿入ブロックにピボット接続されるようになっていることを特徴とする昇降テーブルの脚部。
【請求項９】
請求項８に記載の昇降テーブルの脚部において、
各々の前記クロスメンバに斜め溝が設けられ、かつ、当該斜め溝の端部にピボット回転孔が形成され、前記各カムは、前記各斜め溝に嵌入して前記各ピボット回転孔の中に位置決めされるようになっていることを特徴とする昇降テーブルの脚部。
【請求項１０】
請求項９に記載の昇降テーブルの脚部において、
各々の前記挿入ブロックにスロートが設けられ、前記各スロートは、それぞれ前記各ピボット回転孔に対応して配置され、前記各カムは、同時に前記各スロートの中に位置決めされるようになっていることを特徴とする昇降テーブルの脚部。
【請求項１１】
請求項８に記載の昇降テーブルの脚部において、
前記各カムは、いずれも水滴状となっていることを特徴とする昇降テーブルの脚部。
【請求項１２】
請求項１に記載の昇降テーブルの脚部において、
前記支脚は、伸縮ロッドと、当該伸縮ロッドに接続されたベース板とを備え、前記ベース板は、前記各クロスメンバにピボット接続され、前記連結機構は、複数の軌跡溝を備え、前記各軌跡溝が前記ベース板に設けられ、前記各挿入ブロックの対応位置にそれぞれボスが接続され、前記各軌跡溝は、前記各ボスにスリーブ接続されるようになっていることを特徴とする昇降テーブルの脚部。
【請求項１３】
請求項１２に記載の昇降テーブルの脚部において、
各々の前記クロスメンバにガイド溝が設けられ、前記各ボスは、それぞれ前記各ガイド溝に嵌入し係合されるようになっていることを特徴とする昇降テーブルの脚部。